(57)【要約】      （修正有）【課題】手に留められるとともにライトやブザーを簡単に操作できるライト付き防犯ブザーを提供する。【解決手段】バンド掛け部７にバンド帯１１を取り付けた容体２を形成し、その容体２のネジ３付きライト筒４部に、ＬＥＤライト１５を備えた反射板１４を位置して成る容体２内部に、ＬＥＤライト１５と、ライトスイッチ１６と、ブザー１７と、ブザースイッチ１８と、電池収納ケース５それぞれをリード配線１９して成る回路基板１３を位置して成る容体２に、その容体２と同形状で、かつ半断面状のネジ３付きライト筒４を設けた蓋体８に、ＬＥＤライト１５のスイッチボタン穴２１と、ブザー１７のブザースイッチ穴２２を設けた各穴部位に、回路基板１３に接続したブザースイッチ１８とライトスイッチ１６を位置するように組み合わせて成るネジ３付きライト筒４に、キャップレンズ１０を取り付けたライト付き防犯ブザー１とする。【選択図】図２
0003166172.tif 000002
【実用新案登録請求の範囲】
【請求項１】
手の平に載る程度の大きさの容体内に、背面側から電池を出し入れできる電池収納ケースを設けた一方側に、半断面形状のネジ付きライト筒を設けた長手方向の両サイドに掛け棒付きバンド掛け部を設け、そのバンド掛け部にバンド帯を取り付けた容体を形成し、その容体の前記ネジ付きライト筒部にＬＥＤライトを備えた反射板を位置して成る前記容体内部に、前記ＬＥＤライトと、ライトスイッチと、ブザーと、ブザースイッチと、電池収納ケースそれぞれをリード配線して成る回路基板を位置して成る容体に、その容体と同形状で、かつ半断面状のネジ付きライト筒を設けた蓋体に、前記ＬＥＤライトのスイッチボタン穴と、前記ブザーのブザースイッチ穴を設けた各穴部位に、前記回路基板に接続したブザースイッチとライトスイッチを位置するように組み合わせて成る前記ネジ付きライト筒に、キャップレンズを取り付けて成る構成を特徴とするライト付き防犯ブザー。
【請求項２】
前記する蓋体のブザー部位に、凹部状のスピーカー部を設けて成る請求項１に記載するライト付き防犯ブザー。
【考案の詳細な説明】
【技術分野】
【０００１】  本考案は、防犯ブザーを腕に留められるとともに、ブザーを作動させるとライトも点滅発光して交通安全にも寄与する機能的な防犯ブザーに関する。
【背景技術】
【０００２】  従来より、夜道を歩く時や子供の防犯用に対応する防犯ブザーがあるが、これらは本体から分離する紐やピンを引き抜くことでスイッチが入りブザーが鳴って周囲に助けを求める器具であった。【０００３】  また、本体にボタン式のブザーとライトとクリップを設け、体から近い場所に装着することで、子供や女性やお年寄りの防犯に対する安全性を高いものとし、かつ使用者が用途に応じて使い方ができる軽量と省力化した防犯ブザーがある。（例えば、特許文献１参照）
【特許文献１】実用新案登録第３１５１５５８号公報
【考案の概要】
【考案が解決しようとする課題】
【０００４】  従来は前記するような防犯ブザーが提供されているが、これらのブザーは本体内部のスイッチ部に位置するピンに連結する紐を引き抜くことでスイッチが作動してブザーが鳴る防犯具である。【０００５】  しかし、緊急の場合は焦ることが多いので紐が絡んだりすることも多く、紐を引っ張ってピンをスムーズに引き抜けない場合も多い。【０００６】  また実用新案登録第３１５１５５８号公報に示す防犯ブザーは、本体に付けたクリップにより衣服のポケットに取り付ける方式であるが、都合の良い場所にポケットが無い場合は極めて取り付けにくく、またライトは本体の一定方向にしか発光できないので、クリップでポケットやバッグなどに付けた場合は、歩行する前方に向けるには本体を一々持ちなおさなくてはならず極めて面倒なライト付きブザーの技術である。
【課題を解決するための手段】
【０００７】  本考案は、前記するような従来の技術が持つ不便や欠点を解消するために、請求項１においては、手の平に載る程度の大きさの容体内に、背面側から電池を出し入れできる電池収納ケースを設けた一方側に、半断面形状のネジ付きライト筒を設けた長手方向の両サイドに掛け棒付きバンド掛け部を設け、そのバンド掛け部にバンド帯を取り付けた容体を形成し、その容体の前記ネジ付きライト筒部にＬＥＤライトを備えた反射板を位置して成る前記容体内部に、前記ＬＥＤライトと、ライトスイッチと、ブザーと、ブザースイッチと、電池収納ケースそれぞれをリード配線して成る回路基板を位置して成る容体に、その容体と同形状で、かつ半断面状のネジ付きライト筒を設けた蓋体に、前記ＬＥＤライトのスイッチボタン穴と、前記ブザーのブザースイッチ穴を設けた各穴部位に、前記回路基板に接続したブザースイッチとライトスイッチを位置するように組み合わせて成る前記ネジ付きライト筒に、キャップレンズを取り付けて成るライト付き防犯ブザーとする。【０００８】  請求項２においては、前記する蓋体のブザー部位に、凹部状のスピーカー部を設けて成るライト付き防犯ブザーとする。
【考案の効果】
【０００９】  本考案によるライト付き防犯ブザーは、使用する時は図３に示すように手首に気軽にバンド留めできるので携行には便利であるとともに、夕方や夜間自転車に乗る時やジョギングをする時は、ライト付き防犯ブザーを腕に留めておくことですれ違う人にぶつかることは無く、また自転車の場合は手を上にしたり横にすることで左折又は右折の方向を知らせることができるので、交通安全にも効果的に使えるライトとして使える。また、その途中で暴漢に襲われたりした時はＬＥＤライトの点滅発光はもとよりブザースイッチを入れると次第に発生音が大きく鳴るブザー回路によって容易に撃退し、かつ周囲に光と音で速やかに通報することができる。【００１０】  さらにＬＥＤライトは２個付けているので電池でも極めて明るく、かつライト筒は少し斜め上向きになっているので、そのまま自転車のハンドルを握ると前方を照射できるので、無灯火あっても自転車のライトの役目を果たせるライト付き防犯ブザーとして使えるとともに、交通安全はもとより、引ったくり防止や痴漢や暴漢撃退を、光と高音ブザーで知らせられる従来には見られない機能的なライト付き防犯ブザーとなる。【００１１】  加えて、ライトは２個のＬＥＤで極めて明るく、しかも手首に取り付けられるので作業する際にも邪魔にならず、万一作業中に怪我をしたり体調が悪くなった時はブザーを鳴らすことで同僚や周囲の人に知らせることもできる極めて多機能なライト付き防犯ブザーを提供することができる。
【図面の簡単な説明】
【００１２】
【図１】本考案のライト付き防犯ブザーの実施形態を示す斜視図である。
【図２】本考案のライト付き防犯ブザーの一部を分解した状態を示す斜視図である
【図３】本考案によるライト付き防犯ブザーを腕に留めた状態を示す使用状態を示す参考図である。
【考案を実施するための形態】
【００１３】  本考案のライト付き防犯ブザーを図１に示す斜視図と図２に示す一部を分解した状態を示す斜視図と図３に示す使用状態を示す参考図で説明する。
【００１４】  本考案によるライト付き防犯ブザー１は、手の平に載せられる程度の大きさで、かつ長手方向の背面が人の腕に沿う程度湾曲して成る容体２とし、その容体２の一方側には、少し上方に斜め形状を成す半断面状のネジ３付きライト筒４を設けるとともに、前記した容体２背面の湾曲側から容体２内側に電池収納ケース５を突設し、かつ容体２の長辺側両サイドに、少し下向きの掛け棒６付きバンド掛け部７を設けた容体２を合成樹脂素材で一体形成する。
【００１５】  次に、前記する容体２と同じ素材により、前記容体２の開放側に合う形状を成す一方側に、上方に傾斜する半断面状のネジ３付きライト筒４を設け、かつ少し膨らみを成す蓋体８を形成した表面側の中ほど部位には、少し凹部状のスピーカー部９を設けた蓋体８を、前記する容体２のネジ３付きライト筒４に組み合わせた上で、ネジ３Ａ付きのキャップレンズ１０を取り付け、さらに前記する容体２の掛け棒６付きバンド掛け部７には、面ファスナー（図示しない）付きバンド帯１１を取り付けて成る防犯ブザー本体１２を形成する。
【００１６】  以上のような防犯ブザー本体１２を形成した前記容体２の内部には、内側に突設した電池収納ケース５の周囲余白部に回路基板１３を位置するとともに、その回路基板１３から、容体２のネジ３付きライト筒体４に位置した反射板１４の二つのＬＥＤライト１５及び電池収納ケース５の背部に位置したライトスイッチ１６と、前記蓋体８の表面スピーカー部９の内側に位置したブザー１７及び電池収納ケース５近くに位置したブザースイッチ１８と電池収納ケース５それぞれに配線したリード配線１９を、前記した回路基板１３に接続して成る容体２とする。
【００１７】  さらに、前記容体２の基板回路１３にリード配線１９するとともに、前記蓋体８には、前記ライトスイッチ１６の当接部位にライトスイッチ穴２１を設けてスイッチボタン２０を組み合わせるとともに、かつ前記ブザースイッチ１８の当接部にはブザースイッチ穴２２を設け、それぞれのスイッチボタン２０やブザースイッチ穴２２に、前記したライトスイッチ１６ブやブザースイッチ１８を組み合わせた蓋体８を、前記容体２に組み合わせた後、ネジ３Ａ付きキャップレンズ１０を取り付けて成るライト付き防犯ブザー１を構成する。
【００１８】  尚、前記するＬＥＤライト１５はライトスイッチ１６の切り替えで点灯又は点滅する回路に接続され、ブザー１７はスイッチオンで鳴り始めて次第に大きくなるとともにＬＥＤライト１５も点灯点滅する回路構成としている。
【００１９】  本考案によるライト付き防犯ブザー１は以上のような構成であるので、使用する時は図３に示すように手首に気軽にバンドで留められるので携行に便利であり、夕方や夜間のジョギングをする際は歩行者にぶつからず、また自転車に乗る時はライト付き防犯ブザー１を腕に留めてから手を上にしたり横にすることで、左折又は右折の方向を知らせることが容易である。またその途中で暴漢に襲われたりした時は、ブザースイッチ１８を入れると次第に音が大きく鳴るブザー１７回路によって容易に撃退し通報することができる。さらにＬＥＤライト１５は２個付けているので明るく、かつライト筒４は少し斜め上向きになっているので自転車のハンドルを握ると前方を照射するので、無灯火あっても自転車のライトの役目を果たせるライト付き防犯ブザー１を構成する。
【００２０】  本考案によるライト付き防犯ボザー１の反射板１４には２個のＬＥＤライト１５を取り付けているが、１つでもよいし３個でも構わない。また容体２の背面は腕に馴染むように湾曲させているが平面状でも差し支えないなど、いずれも特に限定されるものではない。
【符号の説明】
【００２１】１  ライト付き防犯ブザー
２  容体
３  ネジ
２Ａ  ネジ
４  ライト筒
５  電池収納ケース
６  掛け棒
７  バンド掛け部
８  蓋体
９  スピーカー部
１０  キャップレンズ
１１  バンド帯
１２  防犯ブザー本体
１３  回路基板
１４  反射板
１５  ＬＥＤライト
１６  ライトスイッチ
１７  ブザー
１８  ブザースイッチ
１９  リード配線
２０  スイッチボタン
２１  スイッチボタン穴
２２  ブザースイッチ穴
【図１】
0003166172.tif 000003
【図２】
0003166172.tif 000004
【図３】
0003166172.tif 000005